(57)【要約】【課題】印刷設定画面の表示制御をすることにより、ユーザが、印刷設定を行う際の印刷設定の操作性の向上を図ること。【解決手段】印刷データに対して印刷設定を行う操作部１０１と、印刷設定を項目ごとに設定一覧の画面に表示出力し、設定一覧の画面の項目のなかの任意の項目の指定により、当該指定された任意の項目を含む印刷設定の画面を選択して表示出力する制御部１０２と、表示出力された印刷設定の画面を表示する印刷設定表示部１０５と、設定一覧の画面を表示する設定一覧表示部１０６と、を備える。【選択図】        図１
2006221356.tif 000002
【特許請求の範囲】
【請求項１】
印刷データに対して印刷設定を行う操作手段と、
前記操作手段によって行った前記印刷設定を項目ごとに設定一覧の画面を表示出力し、前記設定一覧の画面の項目のなかの任意の項目の指定により、当該指定された任意の項目を含む前記印刷設定の画面を選択して表示出力する表示制御手段と、
前記表示制御手段によって表示出力された前記印刷設定の画面を印刷設定画面に表示し、前記設定一覧の画面を設定一覧画面に表示する表示手段と、
を備えることを特徴とする印刷制御装置。
【請求項２】
前記表示制御手段は、前記設定一覧の画面の項目のなかの任意の項目の指定により、当該指定された任意の項目を含む前記印刷設定の画面を前記表示手段に表示することを特徴とする請求項１に記載の印刷制御装置。
【請求項３】
前記表示制御手段は、指定された任意の項目を含む前記印刷設定の画面を前記表示手段に表示する際に、当該指定により表示された前記印刷設定画面と前記印刷設定画面に含まれた前記任意の項目を強調して前記表示手段に表示することを特徴とする請求項１または請求項２に記載の印刷制御装置。
【請求項４】
前記表示制御手段は、指定された任意の項目の前記印刷設定が変更された際に、当該変更された項目を前記設定一覧の画面に表示出力し、当該変更後の項目を強調して前記表示手段に表示することを特徴とする請求項１〜３のいずれか一つに記載の印刷制御装置。
【請求項５】
印刷データに対して印刷設定を行う操作工程と、
前記操作工程によって行った前記印刷設定を項目ごとに設定一覧の画面を表示出力し、前記設定一覧の画面の項目のなかの任意の項目の指定により、当該指定された任意の項目を含む前記印刷設定の画面を選択して表示出力する表示制御工程と、
前記表示制御工程によって表示出力された前記印刷設定の画面を印刷設定画面に表示し、前記設定一覧の画面を設定一覧画面に表示する表示工程と、
を含むことを特徴とする印刷制御方法。
【請求項６】
前記表示制御工程は、前記設定一覧の画面の項目のなかの任意の項目の指定により、当該指定された任意の項目を含む前記印刷設定の画面を前記表示工程に表示することを特徴とする請求項５に記載の印刷制御方法。
【請求項７】
前記表示制御工程は、指定された任意の項目を含む前記印刷設定の画面を前記表示工程に表示する際に、当該指定により表示された前記印刷設定画面と前記印刷設定画面に含まれた前記任意の項目を強調して前記表示工程に表示することを特徴とする請求項５または請求項６に記載の印刷制御方法。
【請求項８】
前記表示制御工程は、指定された任意の項目の前記印刷設定が変更された際に、当該変更された項目を前記設定一覧の画面に表示出力し、当該変更後の項目を強調して前記表示工程に表示することを特徴とする請求項５〜７のいずれか一つに記載の印刷制御方法。
【請求項９】
請求項５〜８のいずれか一つに記載の印刷制御方法をコンピュータに実行させることを特徴とする印刷制御プログラム。
【発明の詳細な説明】
【技術分野】
【０００１】
この発明は、印刷設定における印刷設定画面の表示制御を行う印刷制御装置、印刷制御方法、および印刷制御プログラムに関する。
【背景技術】
【０００２】
従来、プリンタの多機能化に伴い印刷を行う際に、印刷データを制御するための印刷設定項目が非常に多くなり、一つの印刷設定画面内に全ての項目を表示することは困難になってきている。そのため、印刷設定画面は、設定の項目ごとに分類し、それらを切り替えて表示し、設定を行うのが一般的である。
【０００３】
このように、切り替えて表示し、設定を行うため、現在表示している以外の設定画面における設定内容の把握がしにくい。そこで、ユーザが行った各項目ごとの設定内容を一覧画面、アイコンを用いて表示し、表示された一覧画面、アイコンを基に設定内容を確認、変更することができる技術がある（例えば、下記特許文献１〜３参照。）。
【０００４】
【特許文献１】特開２００１−２１６０６４号公報
【特許文献２】特開２００２−１８２８７１号公報
【特許文献３】特開２００４−３８４５８号公報
【発明の開示】
【発明が解決しようとする課題】
【０００５】
しかしながら、上述した従来技術では、一覧画面などに表示された項目から対応する印刷設定画面の表示制御を行うものの、複数の段階に分けて表示制御は行わない。したがって、ユーザの操作により印刷設定を行う際、どこに所望の項目を含む印刷設定画面があるのか把握しにくくなる問題点が挙げられる。
【０００６】
この発明は、上述した従来技術による問題点を解消するため、印刷設定画面の表示制御をすることにより、ユーザが、印刷設定を行う際の印刷設定の操作性を向上させることができる印刷制御装置、印刷制御方法、および印刷制御プログラムを提供することを目的とする。
【課題を解決するための手段】
【０００７】
上述した課題を解決し、目的を達成するため、請求項１の発明にかかる印刷制御装置は、印刷データに対して印刷設定を行う操作手段と、前記操作手段によって行った前記印刷設定を項目ごとに設定一覧の画面を表示出力し、前記設定一覧の画面の項目のなかの任意の項目の指定により、当該指定された任意の項目を含む前記印刷設定の画面を選択して表示出力する表示制御手段と、前記表示制御手段によって表示出力された前記印刷設定の画面を印刷設定画面に表示し、前記設定一覧の画面を設定一覧画面に表示する表示手段と、を備えることを特徴とする。
【０００８】
この請求項１の発明によれば、印刷データの印刷設定を、項目ごとに設定一覧画面に一覧表示する。また、一覧表示された任意の項目の指定により、当該指定された任意の項目を含む印刷設定画面を選択して表示することにより、ユーザが印刷設定を行う際の印刷設定の操作性の向上を図ることができる。
【０００９】
また、請求項２の発明にかかる印刷制御装置は、請求項１に記載の発明において、前記表示制御手段は、前記設定一覧の画面の項目のなかの任意の項目の指定により、当該指定された任意の項目を含む前記印刷設定の画面を前記表示手段に表示することを特徴とする。
【００１０】
この請求項２の発明によれば、設定一覧画面の項目のなかの任意の項目の指定により、
初期印刷設定画面を表示した後に任意の項目を含む印刷設定画面を表示する。ユーザが印刷設定を行う際に、所望の印刷設定項目がどの印刷設定画面に含まれるかの把握が容易になり、印刷設定を効率よく行うことができ、印刷設定の操作性の向上を図ることができる。
【００１１】
また、請求項３の発明にかかる印刷制御装置は、請求項１または請求項２に記載の発明において、前記表示制御手段は、指定された任意の項目を含む前記印刷設定の画面を前記表示手段に表示する際に、当該指定により表示された前記印刷設定画面と前記印刷設定画面に含まれた前記任意の項目を強調して前記表示手段に表示することを特徴とする。
【００１２】
この請求項３の発明によれば、設定一覧画面から指定された任意の項目を含む印刷設定画面と、この印刷設定画面に含まれた任意の項目を強調して表示する。指定された任意の項目を含む印刷設定画面と、その印刷設定画面内に指定された任意の項目がどこにあるかを容易に把握することができ、印刷設定の操作性の向上を図ることができる。
【００１３】
また、請求項４の発明にかかる印刷制御装置は、請求項１〜３のいずれか一つに記載の発明において、前記表示制御手段は、指定された任意の項目の前記印刷設定が変更された際に、当該変更された項目を前記設定一覧の画面に表示出力し、当該変更後の項目を強調して前記表示手段に表示することを特徴とする。
【００１４】
この請求項４の発明によれば、設定一覧画面から指定された任意の項目の印刷設定の変更を行った際に、変更後の設定内容を設定一覧画面に強調して表示する。変更した項目を容易に把握することができ、印刷設定の操作性の向上を図ることができる。
【００１５】
また、請求項５の発明にかかる印刷制御方法は、印刷データに対して印刷設定を行う操作工程と、前記操作工程によって行った前記印刷設定を項目ごとに設定一覧の画面を表示出力し、前記設定一覧の画面の項目のなかの任意の項目の指定により、当該指定された任意の項目を含む前記印刷設定の画面を選択して表示出力する表示制御工程と、前記表示制御工程によって表示出力された前記印刷設定の画面を印刷設定画面に表示し、前記設定一覧の画面を設定一覧画面に表示する表示工程と、を含むことを特徴とする。
【００１６】
この請求項５の発明によれば、印刷データの印刷設定を、項目ごとに設定一覧画面に一覧表示する。また、一覧表示された任意の項目の指定により、当該指定された任意の項目を含む印刷設定画面を選択して表示することにより、ユーザが印刷設定を行う際に、印刷設定の操作性の向上を図ることができる。
【００１７】
また、請求項６の発明にかかる印刷制御方法は、請求項５に記載の発明において、前記表示制御工程は、前記設定一覧の画面の項目のなかの任意の項目の指定により、当該指定された任意の項目を含む前記印刷設定の画面を前記表示工程に表示することを特徴とする。
【００１８】
この請求項６の発明によれば、設定一覧画面の項目のなかの任意の項目の指定により、
初期印刷設定画面を表示した後に任意の項目を含む印刷設定画面を表示する。ユーザが印刷設定を行う際に、所望の印刷設定項目がどの印刷設定画面に含まれるかの把握が容易になり、印刷設定を効率よく行うことができ、印刷設定の操作性の向上を図ることができる。
【００１９】
また、請求項７の発明にかかる印刷制御方法は、請求項５または請求項６に記載の発明において、前記表示制御工程は、指定された任意の項目を含む前記印刷設定の画面を前記表示工程に表示する際に、当該指定により表示された前記印刷設定画面と前記印刷設定画面に含まれた前記任意の項目を強調して前記表示工程に表示することを特徴とする。
【００２０】
この請求項７の発明によれば、設定一覧画面から指定された任意の項目を含む印刷設定画面と、この印刷設定画面に含まれた任意の項目を強調して表示する。指定された任意の項目を含む印刷設定画面と、その印刷設定画面内に指定された任意の項目がどこにあるかを容易に把握することができ、印刷設定の操作性の向上を図ることができる。
【００２１】
また、請求項８の発明にかかる印刷制御方法は、請求項５〜７のいずれか一つに記載の発明において、前記表示制御工程は、指定された任意の項目の前記印刷設定が変更された際に、当該変更された項目を前記設定一覧の画面に表示出力し、当該変更後の項目を強調して前記表示工程に表示することを特徴とする。
【００２２】
この請求項８の発明によれば、設定一覧画面から指定された任意の項目の印刷設定の変更を行った際に、変更後の設定内容を設定一覧画面に強調して表示する。変更した項目を容易に把握することができ、印刷設定の操作性の向上を図ることができる。
【００２３】
また、請求項９の発明にかかる印刷制御プログラムは、請求項５〜８のいずれか一つに記載の印刷制御方法をコンピュータに実行させることを特徴とする。
【００２４】
この請求項９の発明によれば、請求項５〜８のいずれか一つに記載の印刷制御方法をコンピュータに実行させることができる。
【発明の効果】
【００２５】
本発明にかかる印刷制御装置、印刷制御方法、および印刷制御プログラムによれば、ユーザが、設定一覧画面の任意の項目を指定した際に、印刷設定画面を表示制御することにより、ユーザが印刷設定を行う際の印刷設定の操作性の向上を図ることができるという効果を奏する。
【発明を実施するための最良の形態】
【００２６】
以下に添付図面を参照して、この発明にかかる印刷制御装置、印刷制御方法、および印刷制御プログラムの好適な実施の形態を詳細に説明する。
【００２７】
（実施の形態１）
まず、この発明の実施の形態１を説明する。図１は、この発明の機能的構成を示すブロック図である。図１に示すように、印刷制御装置１００は、操作部１０１と、制御部１０２と、印刷設定記憶部１０３と、画面構成記憶部１０４と、印刷設定表示部１０５と、設定一覧表示部１０６を含み構成される。
【００２８】
操作部１０１は、ユーザが、マウスやキーボードなどを用いて印刷設定を行う際に操作する。制御部１０２は、操作部１０１からの操作を制御する。印刷設定記憶部１０３は、印刷設定を記憶する。画面構成記憶部１０４は、印刷設定画面の構成を記憶する。印刷設定記憶部１０３および画面構成記憶部１０４は、ＲＡＭなど１つの記憶部を用いて２つの領域別に印刷設定記憶部１０３と画面構成記憶部１０４を構成してもよい。
【００２９】
印刷設定表示部１０５は、印刷設定記憶部１０３に記憶された印刷設定を表示する。設定一覧表示部１０６は、印刷設定を項目ごとに一覧表示する。印刷設定表示部１０５および設定一覧表示部１０６は、ＣＲＴ、ＬＣＤなどの表示画面を用いて印刷設定表示部１０５と設定一覧表示部１０６を表示する。印刷設定表示部１０５は、印刷設定を行う印刷設定画面を表示し、設定一覧表示部１０６は、印刷設定の設定一覧画面を表示する。
【００３０】
また、画面構成記憶部１０４は、設定一覧画面に表示された各設定項目に対応する印刷設定画面を記憶している。そして、ユーザは、操作部１０１により設定一覧画面を表示し、任意の項目を指定すると、制御部１０２は、この指定した任意の項目を含む印刷設定画面を表示させる。
【００３１】
そして、表示された印刷設定画面において、ユーザが、設定の変更を行った場合は、印刷設定記憶部１０３は、変更後の設定を記憶する。そして、制御部１０２は、記憶された設定に基づいて、設定一覧画面に変更後の設定を表示させる。
【００３２】
次に、ユーザに対して行う表示制御について図２を用いて説明する。図２は、実施の形態１の表示制御の処理動作を説明するフローチャートである。
【００３３】
まず、制御部１０２は、操作部１０１から設定一覧表示部１０６の任意の項目が指定されたか判断する（ステップＳ２０１）。操作部１０１からの指定とは、具体的には、マウスによるダブルクリックで指定できる。次に、任意の項目が指定された場合（ステップＳ２０１：Ｙｅｓ）、制御部１０２は、この指定された任意の項目を含む印刷設定画面を画面構成記憶部１０４より検索する（ステップＳ２０２）。一方、任意の項目が指定されない場合（ステップＳ２０１：Ｎｏ）、再びステップＳ２０１で操作部１０１から任意の項目が指定されたか判断する。
【００３４】
ステップＳ２０２において、制御部１０２は、検索した任意の項目を含む印刷設定画面を印刷設定表示部１０５に表示する（ステップＳ２０３）。次に、表示された印刷設定画面において、制御部１０２は、操作部１０１からの操作により印刷設定を変更する（ステップＳ２０４）。操作部１０１からの変更とは、具体的には、マウスやキーボードにより変更できる。そして、操作部１０１からの操作により、ＯＫボタン４０３（図４参照）を押下する（ステップＳ２０５）。操作部１０１からの押下とは、具体的には、マウスによるシングルクリックで押下できる。この押下により印刷設定が変更され、制御部１０２は、この変更後の印刷設定を印刷設定記憶部１０３に記憶する。また、制御部１０２は、この変更後の設定一覧を設定一覧表示部１０６に表示し（ステップＳ２０６）、処理を終了する。
【００３５】
次に、表示制御の表示例について図３〜図５を用いて説明する。図３は、実施の形態１の設定一覧画面を示す説明図である。図３に示すように、設定一覧画面３００は、各印刷設定画面での印刷設定を一覧表示する。また、「ＩＣＭ（Ｉｍａｇｅ  Ｃｏｌｏｒ  Ｍａｔｃｈｉｎｇ）を使用する：Ｏｆｆ」３０１は、一覧表示された項目の一つである。
【００３６】
次に、図４は、実施の形態１のユーザ設定画面を示す説明図である。図４に示すように、ユーザ設定画面４００は、印刷設定を行うための印刷設定画面である。このユーザ設定画面４００は、「画質調整」、「バランス調整」、「カラーマッチング」、「その他」の印刷設定画面を構成し、操作部１０１の操作により各項目のタブを選択して、制御部１０２は、印刷設定画面を切り替えて表示させる。
【００３７】
図４に示すように、カラーマッチングタブ４０２が選択され、カラーマッチングに関する印刷設定画面が表示されている。また、「ＩＣＭを使用する」かどうかのチェックボックス４０１が表示されている。そして、４０３は、ＯＫボタンである。なお、カラーマッチングタブ４０２および「ＩＣＭを使用する」は、表示を強調するためにそれぞれ下線を付して表示している。
【００３８】
次に、図５は、実施の形態１の設定一覧画面の別の表示例を示す説明図である。図５に示すように、設定一覧画面３００は、各印刷設定画面での印刷設定を一覧表示する。また、「ＩＣＭを使用する：Ｏｎ」３０１は、一覧表示された項目の一つである。なお、「ＩＣＭを使用する：Ｏｎ」３０１は、表示を強調するために下線を付して表示している。
【００３９】
このようにして、図３で示した、設定一覧画面３００の「ＩＣＭを使用する：Ｏｆｆ」３０１の項目が指定されると、制御部１０２は、この指定した項目を含む印刷設定画面を表示させる。つまり、図４で示した、ユーザ設定画面４００が表示される。このユーザ設定画面４００は、カラーマッチングに関する印刷設定画面である。なお、カラーマッチングタブ４０２および「ＩＣＭを使用する」は、表示を強調するためにそれぞれ下線を付して表示している。
【００４０】
また、操作部１０１からの操作により、図４で示した「ＩＣＭを使用する」かどうかのチェックボックス４０１にチェックをして、ＯＫボタン４０３を押下することによって印刷設定が変更され、制御部１０２は、この変更後の印刷設定を印刷設定記憶部１０３に記憶する。そして、制御部１０２は、この変更後の設定一覧を、図５で示した、設定一覧画面３００に表示させる。つまり、制御部１０２は、図３で示した、「ＩＣＭを使用する：Ｏｆｆ」３０１から、図５で示した、「ＩＣＭを使用する：Ｏｎ」３０１を表示させる。なお、「ＩＣＭを使用する：Ｏｎ」は、表示を強調するために下線を付して表示している。
【００４１】
以上説明したように、この実施の形態１によれば、設定一覧画面の任意の項目を指定することにより、この指定した任意の項目を含む印刷設定画面を表示することができる。表示された任意の項目を含む印刷設定画面から、容易に印刷設定を行うことができる。したがって、印刷設定の際に、印刷設定画面から所望の印刷設定画面および印刷設定項目を探す必要がなく、印刷設定の操作性を向上させることができる。
【００４２】
（実施の形態２）
次に、この発明の実施の形態２を説明する。実施の形態２にかかる印刷制御装置、印刷制御方法、および印刷制御プログラムの機能的構成の概要は、実施の形態１に示したものと同様であるため、説明は省略する。
【００４３】
次に、ユーザに対して行う表示制御について図６を用いて説明する。図６は、実施の形態２の表示制御の処理動作を説明するフローチャートである。
【００４４】
まず、制御部１０２は、操作部１０１から設定一覧表示部１０６の任意の項目が指定されたか判断する（ステップＳ６０１）。操作部１０１からの指定とは、具体的には、マウスによるダブルクリックで指定できる。次に、任意の項目が指定された場合（ステップＳ６０１：Ｙｅｓ）、制御部１０２は、初期印刷設定画面を表示させる（ステップＳ６０２）。一方、任意の項目が指定されない場合（ステップＳ６０１：Ｎｏ）、再びステップＳ６０１で操作部１０１から任意の項目が指定されたか判断する。
【００４５】
ステップＳ６０２において、初期印刷設定画面を表示した後に、制御部１０２は、印刷設定画面を表示する（ステップＳ６０３）。次に、表示された印刷設定画面において、制御部１０２は、操作部１０１からの操作により印刷設定を変更する（ステップＳ６０４）。具体的には、マウスやキーボードにより変更できる。そして、操作部１０１からの操作により、ＯＫボタン４０３を押下する（ステップＳ６０５）。操作部１０１からの押下とは、具体的には、マウスによるシングルクリックで押下できる。この押下により印刷設定が変更され、制御部１０２は、この変更後の印刷設定を印刷設定記憶部１０３に記憶する。また、制御部１０２は、この変更後の設定一覧を設定一覧表示部１０６に表示し（ステップＳ６０６）、処理を終了する。
【００４６】
次に、表示制御の表示例について図７〜図１０を用いて説明する。図７は、実施の形態２の初期印刷設定画面を示す説明図である。図７に示すように、初期印刷設定画面７００は、印刷設定を行うための初期印刷設定画面である。この初期印刷設定画面７００は、「基本」、「編集」、「仕上げ」、「その他」、「印刷品質」、「初期設定」の印刷設定画面を構成し、操作部１０１の操作により各項目のタブを選択して、制御部１０２は、印刷設定画面を切り替えて表示する。
【００４７】
図７に示すように、初期印刷設定画面７００は、基本タブ７０１が選択され、基本設定に関する印刷設定画面が表示されている。なお、基本タブ７０１は、表示を強調するために下線を付して表示している。
【００４８】
次に、図８は、実施の形態２の初期印刷設定画面の別の表示例を示す説明図である。初期印刷設定画面７００は、印刷設定を行うための初期印刷設定画面である。この初期印刷設定画面７００の構成は、図７で示したものと同様であるため説明は省略する。
【００４９】
図８に示すように、初期印刷設定画面７００は、印刷品質タブ８０１が選択され、印刷品質の設定に関する印刷設定画面が表示されている。なお、印刷品質タブ８０１は、表示を強調するために下線を付して表示している。また、図８に示すように、「ユーザ設定」をするかどうかのチェックボックス８０２が表示されている。操作部１０１からの操作により、このチェックボックス８０２にチェックをして、ユーザ設定をする。
【００５０】
次に、図９は、実施の形態２の初期印刷設定画面の別の表示例を示す説明図である。初期印刷設定画面７００は、印刷設定を行うための初期印刷設定画面である。この初期印刷設定画面７００の構成は、図７で示したものと同様であるため説明は省略する。また、図９に示す初期印刷設定画面７００の各構成部８０１および８０２は、図８で示したものと同様であるため説明は省略する。
【００５１】
図９に示すように、ユーザ設定の変更ボタン９０１は、ユーザ設定画面を表示させるためのボタンである。ユーザは、まず、必要なユーザ設定をするため、図９に示すように、ユーザ設定のチェックボックス８０２にチェックをして、ユーザ設定の変更ボタン９０１を押下する。この押下によりユーザ設定画面が表示される。
【００５２】
次に、図１０は、実施の形態２のユーザ設定画面を示す説明図である。ユーザ設定画面４００は、印刷設定を行うためのユーザ設定画面である。このユーザ設定画面４００の構成は、図４で示したものと同様であるため説明は省略する。
【００５３】
図１０に示すように、画質調整タブ１００１が選択され、画質調整に関するユーザ設定画面４００が表示されている。なお、画質調整タブ１００１は、表示を強調するために下線を付して表示している。
【００５４】
このようにして、図３で示した、設定一覧画面３００の「ＩＣＭを使用する：Ｏｆｆ」３０１の項目が指定されると、図７で示した初期印刷設定画面７００が表示される。つづいて、図８で示した初期印刷設定画面７００が表示される。そして、図９で示したように、操作部１０１からの操作により、チェックボックス８０２にチェックをして、ユーザ設定の変更ボタン９０１を押下する。この押下により図１０で示したユーザ設定画面４００が表示された後に、図４で示したユーザ設定画面４００が表示される。この図４で示したユーザ設定画面４００において、操作部１０１からの操作により、印刷設定を変更して、ＯＫボタン４０３を押下することにより、図５で示した設定一覧画面３００が表示される。
【００５５】
また、操作部１０１からの操作により、図４で示した「ＩＣＭを使用する」かどうかのチェックボックス４０１にチェックをして、ＯＫボタン４０３を押下することによって印刷設定が変更され、制御部１０２は、この変更後の印刷設定を印刷設定記憶部１０３に記憶する。そして、制御部１０２は、この変更後の設定一覧を、図５で示した、設定一覧画面３００に表示する。つまり、制御部１０２は、図３で示した、「ＩＣＭを使用する：Ｏｆｆ」３０１から、図５で示した、「ＩＣＭを使用する：Ｏｎ」３０１を表示する。なお、図５で示した「ＩＣＭを使用する：Ｏｎ」３０１は、表示を強調するために下線を付して表示している。
【００５６】
以上説明したように、この実施の形態２によれば、設定一覧画面の任意の項目を指定すると、初期印刷設定画面を表示した後に任意の項目を含む印刷設定画面を表示することができる。このように表示することで、所望の印刷設定項目がどの印刷設定画面に含まれるかの把握が容易になり、印刷設定を効率よく行うことができ、印刷設定の操作性が向上する。
【００５７】
なお、本実施の形態で説明した印刷制御装置、印刷制御方法、および印刷制御プログラムは、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００５８】
以上のように、本発明にかかる印刷制御装置、印刷制御方法、および印刷制御プログラムは、印刷データの印刷設定を行う場合に有用であり、特に、印刷設定画面の表示制御を行うプリンタドライバを備えた情報処理装置に適している。
【図面の簡単な説明】
【００５９】
【図１】この発明の機能的構成を示すブロック図である。
【図２】実施の形態１の表示制御の処理動作を説明するフローチャートである。
【図３】実施の形態１の設定一覧画面を示す説明図である。
【図４】実施の形態１のユーザ設定画面を示す説明図である。
【図５】実施の形態１の設定一覧画面の別の表示例を示す説明図である。
【図６】実施の形態２の表示制御の処理動作を説明するフローチャートである。
【図７】実施の形態２の初期印刷設定画面を示す説明図である。
【図８】実施の形態２の初期印刷設定画面の別の表示例を示す説明図である。
【図９】実施の形態２の初期印刷設定画面の別の表示例を示す説明図である。
【図１０】実施の形態２のユーザ設定画面を示す説明図である。
【符号の説明】
【００６０】
１００  印刷制御装置
１０１  操作部
１０２  制御部
１０３  印刷設定記憶部
１０４  画面構成記憶部
１０５  印刷設定表示部
１０６  設定一覧表示部
３００  設定一覧画面
４００  ユーザ設定画面
７００  初期印刷設定画面
【図１】
2006221356.tif 000003
【図２】
2006221356.tif 000004
【図３】
2006221356.tif 000005
【図４】
2006221356.tif 000006
【図５】
2006221356.tif 000007
【図６】
2006221356.tif 000008
【図７】
2006221356.tif 000009
【図８】
2006221356.tif 000010
【図９】
2006221356.tif 000011
【図１０】
2006221356.tif 000012